(57)【要約】【課題】構造を簡単にするとともに、発熱するためのエネルギーを要しないようにする。【解決手段】消臭剤容器１の対向する側部の内面にそれぞれ３つの支持部２を設け、３つの合成樹脂からなる格子状の保持体３を支持部２に支持し、保持体３に織布、不織布等の繊維からなる袋状の繊維体５を被せ、消臭剤容器１、保持体３、繊維体５を覆いかつ金属からなるカバー６を設け、カバー６の側部に多数の孔７を設け、カバー６の下部に消臭剤容器１の底面と平行な突出片を設ける。【選択図】図１
2011120812.tif 000002
【特許請求の範囲】
【請求項１】
液体状の消臭剤を蒸散させる消臭装置において、消臭剤容器と、上記消臭剤容器に支持された保持体と、上記保持体に保持された繊維体と、上記消臭剤容器、上記保持体および上記繊維体を覆い、孔を有し、かつ金属からなるカバーとを具備することを特徴とする消臭装置。
【請求項２】
上記カバーの下部に上記消臭剤容器の底面と平行な突出片を設けたことを特徴とする請求項１に記載の消臭装置。
【請求項３】
上記繊維体が袋状であり、上記繊維体が上記保持部に被せられていることを特徴とする請求項１または２に記載の消臭装置。
【請求項４】
請求項１、２または３に記載の消臭装置を使用した消臭方法において、上記消臭剤容器内に液体状の消臭剤を注入し、上記消臭装置をコンビニエンスストア内に設置された発熱物に隣接して設置し、上記発熱物の熱を熱輻射により上記カバーに伝達することを特徴とする消臭方法。
【請求項５】
上記発熱物からの風を上記孔を介して上記カバー内に流入させることを特徴とする請求項４に記載の消臭方法。
【請求項６】
上記発熱物がファーストフードウォーマーであることを特徴とする請求項４または５に記載の消臭方法。
【請求項７】
上記消臭剤を１日に３００ｍｌ以上蒸発させることを特徴とする請求項４、５または６に記載の消臭方法。
【発明の詳細な説明】
【技術分野】
【０００１】
本発明は液体状の消臭剤を蒸散させる消臭装置および消臭方法に関するものである。
【背景技術】
【０００２】
従来の消臭装置においては、特許文献１に示されるように、消臭剤の容器の近傍に発熱装置を設けている。この消臭装置においては、発熱装置により消臭剤の蒸散を促進することができる。
【０００３】
また、従来の消臭装置においては、送風装置を内蔵しているものもあり、このような消臭装置においては、送風装置により消臭剤の蒸散を促進することができる。
【先行技術文献】
【特許文献】
【０００４】
【特許文献１】特開２００５−３４４６０号公報
【発明の概要】
【発明が解決しようとする課題】
【０００５】
しかし、特許文献１に示された消臭装置においては、発熱装置を有しているから、構造が複雑になるとともに、発熱するためのエネルギーを要する。
【０００６】
本発明は上述の課題を解決するためになされたもので、構造が簡単であるとともに、発熱するためのエネルギーを要しない消臭装置、消臭方法を提供することを目的とする。
【課題を解決するための手段】
【０００７】
この目的を達成するため、本発明においては、液体状の消臭剤を蒸散させる消臭装置において、消臭剤容器と、上記消臭剤容器に支持された保持体と、上記保持体に保持された繊維体と、上記消臭剤容器、上記保持体および上記繊維体を覆い、孔を有し、かつ金属からなるカバーとを具備することを特徴とする。
【０００８】
また、上記カバーの下部に上記消臭剤容器の底面と平行な突出片を設けたことを特徴としてもよい。
【０００９】
また、上記繊維体が袋状であり、上記繊維体が上記保持部に被せられていることを特徴としてもよい。
【００１０】
また、上記の消臭装置を使用した消臭方法において、上記消臭剤容器内に液体状の消臭剤を注入し、上記消臭装置をコンビニエンスストア内に設置された発熱物に隣接して設置し、上記発熱物の熱を熱輻射により上記カバーに伝達することを特徴とする。
【００１１】
また、上記発熱物からの風を上記孔を介して上記カバー内に流入させることを特徴としてもよい。
【００１２】
また、上記発熱物がファーストフードウォーマーであることを特徴としてもよい。
【００１３】
また、上記消臭剤を１日に３００ｍｌ以上蒸発させることを特徴としてもよい。
【発明の効果】
【００１４】
本発明に係る消臭装置、消臭方法においては、消臭剤の蒸散を促進するために発熱装置を設ける必要がないから、構造が簡単であるとともに、発熱するためのエネルギーを要しない。
【００１５】
また、カバーの下部に消臭剤容器の底面と平行な突出片を設けたときには、隣接された発熱物の下に突出片を挿入して設置すると、発熱物の熱をカバーに効率よく伝達することができ、また消臭装置が転倒するのを防止することができる。
【００１６】
また、袋状の繊維体を保持部に被せたときには、保持体に繊維体を容易に取り付けることができるので、設置作業が容易である。
【００１７】
また、発熱物からの風を孔を介してカバー内に流入させるときには、消臭剤の蒸散をより促進することができる。
【００１８】
また、発熱物がファーストフードウォーマーであるときには、ファーストフードウォーマーからの熱と風を利用することができるから、消臭剤の蒸散をより促進することができる。
【００１９】
また、消臭剤を１日に３００ｍｌ以上蒸発させるときには、消臭効果をより良好にすることができる。
【図面の簡単な説明】
【００２０】
【図１】本発明に係る消臭装置を示す断面図である。
【図２】図１のＡ―Ａ断面図である。
【図３】図１に示した消臭装置の保持体を示す図である。
【図４】図１〜３に示した消臭装置の外観を示す斜視図である。
【発明を実施するための形態】
【００２１】
本発明に係る消臭装置を図１〜図４により説明する。図に示すように、消臭剤容器１の対向する側部の内面にそれぞれ３つの支持部２が設けられており、支持部２は２枚の突出片から構成されている。３つの合成樹脂からなる格子状の保持体３が支持部２に支持されている。すなわち、保持体３は下部（図１、図３紙面下方部）に突出部４を有しており、突出部４が支持部２の２枚の突出片の間に挿入されて、消臭剤容器１の内側に保持体３が支持されている。そして、保持体３は消臭剤容器１の底面に対して直角である。また、保持体３に織布、不織布等の繊維からなる袋状の繊維体５が被せられて、保持体３に繊維体５が保持されている。また、消臭剤容器１、保持体３、繊維体５を覆うカバー６が設けられ、カバー６はステンレス鋼等の金属からなり、カバー６の下部（図１紙面下方部）の内面は消臭剤容器１の側部の外面に当接している。また、カバー６の側部には多数の孔７が設けられ、カバー６の孔７を設けた部分に対する孔７の面積の合計の割合は２５〜４０％である。また、カバー６の下部には消臭剤容器１の底面と平行な突出片８が設けられている。また、消臭剤容器１内に液体状の消臭剤（図示せず）が注入され、繊維体５の下端は消臭剤の液面よりも下方に位置している。
【００２２】
この実施の形態の消臭装置においては、突出部４を支持部２の２枚の突出片の間に挿入して、支持部２に保持体３を支持したのち、保持部３に袋状の繊維体５を被せ、消臭剤容器１内に液体状の消臭剤を注入したのち、カバー６を被せると、消臭装置を組み立てることができる。この状態では、消臭剤容器１内に注入された消臭剤が毛細管現象により繊維体５に浸み込んだ状態となり、消臭剤は繊維体５から蒸散し、蒸散した消臭剤は孔７を通ってカバー６の外部に出る。
【００２３】
つぎに、本発明に係る消臭方法について説明する。まず、図１〜図４に示した消臭装置の消臭剤容器１内に液体状の消臭剤を注入し、消臭装置をコンビニエンスストアのカウンター上に設置され、空揚げ等のファーストフードを温めるための装置でありかつファンを有するファーストフードウォーマーの下に突出片８を挿入して設置する。この場合、隣接するファーストフードウォーマーの熱が熱輻射によりカバー６の側部および突出片８に伝達されるから、カバー６の温度が室温よりも高くなる。このため、繊維体５に浸み込んだ消臭剤がカバー６の熱によって暖められるから、繊維体５からの消臭剤の蒸散が促進される。また、ファーストフードウォーマーからの暖かい風が孔７を介してカバー６内に流入するから、繊維体５からの消臭剤の蒸散が促進される。このようにして、液体状の消臭剤を１日に３００ｍｌ以上蒸発させる。そして、繊維体５から蒸散した消臭剤により、ファーストフードウォーマーから発した臭いを消す。
【００２４】
このような消臭装置、消臭方法においては、隣接するファーストフードウォーマーからの熱によりカバー６が暖められるから、消臭剤の蒸散を促進するために発熱装置を設ける必要がない。また、ファーストフードウォーマーからの暖かい風が孔７を介してカバー６内に流入するから、消臭剤の蒸散を促進するために送風装置を設ける必要がない。このため、構造が簡単であるとともに、発熱するためのエネルギーおよび送風するためのエネルギーを要しない。また、カバー６の下部に消臭剤容器１の底面と平行な突出片８を設けているから、ファーストフードウォーマーの下に突出片８を挿入して設置すると、ファーストフードウォーマーの熱が突出片８を介してカバー６に伝達されるので、ファーストフードウォーマーの熱をカバー６に効率よく伝達することができ、また消臭装置が転倒するのを防止することができる。また、繊維体として袋状の繊維体５を使用しているから、保持体３に繊維体５を被せることにより、保持体３に繊維体５を取り付けることができるので、設置作業が容易である。また、消臭剤を１日に３００ｍｌ以上蒸発させているから、消臭効果をより良好にすることができる。また、カバー６の孔７を設けた部分に対する孔７の面積の合計の割合を２５〜４０％にしたから、ファーストフードウォーマーから熱輻射によってカバー６に伝達される熱の量と、ファーストフードウォーマーからの暖かい風が孔７を介してカバー６内に流入することによってカバー６に入る熱の量とのバランスを良好にすることができる。
【００２５】
なお、上述実施の形態においては、孔として円形状の孔７を設けたが、孔としてスリット等を設けてもよい。
【００２６】
また、上述実施の形態においては、消臭剤容器１に保持体３を着脱可能に支持するために、消臭剤容器１に支持部２を設け、保持体３に突出部４を設けたが、他の手段により消臭剤容器に保持体を着脱可能に支持してもよく、消臭剤容器に保持体を固定して支持してもよい。
【００２７】
また、上述実施の形態においては、合成樹脂からなる格子状の３つの保持体３を用いたが、保持体は繊維体を保持できる形状、材質であればよく、また保持体の数は３に限定されない。たとえば、金属製の線材、板材からなる保持体の端部を折り曲げ、その折曲部を消臭剤容器の対向する側部に引っ掛けることによって、消臭剤容器に保持体を着脱可能に支持してもよい。この場合には、消臭剤容器の内側には突出部がないから、消臭剤容器の内側を容易に洗浄することができる。
【００２８】
また、上述実施の形態においては、袋状の繊維体５を用いたが、繊維体は袋状に限らない。
【００２９】
また、上述実施の形態においては、カバー６の下部に突出片８を設けたが、突出片を設けなくともよい。
【００３０】
また、上述実施の形態においては、消臭装置をコンビニエンスストアのカウンター上に設置されたファーストフードウォーマーに隣接して設置した場合について説明したが、熱を発する発熱物たとえばおでん販売機に隣接して消臭装置を設置すればよい。
【００３１】
なお、ファンを有するレジスターに隣接して消臭装置を設置しても、レジスターからの暖かい風が孔７を介してカバー６内に流入するから、繊維体５からの消臭剤の蒸散を促進することができる。
【符号の説明】
【００３２】
１…消臭剤容器、３…保持体、５…繊維体、６…カバー、７…孔、８…突出片
【図１】
2011120812.tif 000003
【図２】
2011120812.tif 000004
【図３】
2011120812.tif 000005
【図４】
2011120812.tif 000006